(57)【要約】      （修正有）【課題】個人同士が面識のない相手と対戦可能で、モチベーションの向上に繋がると共に、ボウリングゲームの面白さを高めることが可能なボウリングシステムの提供。【解決手段】管理センター１と複数のボウリングセンター３とをネットワーク２を介して接続するボウリングシステムであって、予め実際にプレーする著名人と日時およびボウリングセンター名とからなるスケジュール表を作成してＷｅｂサイト掲示版に掲載するとともにスケジュールに基づいて実際のプレー情報を配信し、他の複数のボウリングセンター３において、掲示版に基づいて参加申し込みを受付けるとともに、配信されたプレー情報を参加者がプレーするモニター３１に表示し、同時にボウリングゲームを行なわせるようにした。【選択図】図１
2013252340.tif 000002
【特許請求の範囲】
【請求項１】
記憶装置を有する管理・Ｗｅｂサーバと、システムを構築し、メンテナンスするためのシステム保守端末と、外部情報を入力し、編集する情報編集端末とが設置された管理センター、
ゲームのスコアや投球フォーム、ピンの残存情報などの情報を撮影し、表示するカメラやモニターと、これらカメラやモニターの情報を処理するとともに前記管理・Ｗｅｂサーバに接続可能とされた情報端末とが設置された第一のボウリングセンター、
前記管理・Ｗｅｂサーバに接続可能とされた情報端末と、前記情報端末からの情報を表示するモニターとが設置された第二の複数のボウリングセンターからなり、前記管理センターと前記第一、第二のボウリングセンターとをネットワークを介して接続するボウリングシステムであって、
予め実際にプレーする著名人と日時およびボウリングセンター名とからなるスケジュール表を作成してＷｅｂサイト掲示版に掲載するとともに、前記第一のボウリングセンターが前記スケジュールに基づいて実際のプレー情報を配信し、
前記第二の複数のボウリングセンターにおいて、前記掲示版に基づいて参加申し込みを受付けるとともに、前記配信されたプレー情報を参加者がプレーするモニターに表示し、同時にボウリングゲームを行なわせるようにしたことを特徴とするネットワークを利用したボウリングシステム。
【請求項２】
前記管理・Ｗｅｂサーバに接続可能とされた情報端末は、参加者が所有するパソコンであり、ボウリングゲームへの参加申し込みを可能としたことを特徴とする請求項１に記載のネットワークを利用したボウリングシステム。
【発明の詳細な説明】
【技術分野】
【０００１】
この発明は、インターネット等のネットワークを利用して複数のボウリングセンター間を接続し、リアルタイムにボウリングゲームを競わせることを可能とするボウリングシステムに関するものである。
【背景技術】
【０００２】
インターネット等のネットワークを利用して複数のボウリングセンター間を接続し、遠隔地間で対決形式のボウリングゲームを行なわせるようにしたボウリングシステムとして特許文献１に記載されたものが提案されている。
【先行技術文献】
【特許文献】
【０００３】
【特許文献１】特許第３４９５０２４号公報
【発明の概要】
【発明が解決しようとする課題】
【０００４】
しかしながら、このような特許文献１のものにおいては、遠隔地に居住する個人同士が異なるボウリングセンターで対戦するボウリングシステムであり、面識のない相手と対戦しても、インセンティブの向上に繋がらず、ボウリングゲームの面白さを高めることができなかった。
【０００５】
この発明は、上記のような問題を解決するためなされたもので、ボウリングゲームに対するボウラーのインセンティブを向上させ、ボウリングセンターへ繰り返し足を運んでゲームを楽しませるとともにボウリングセンターの売り上げ向上に貢献させることを目的とするものである。
【課題を解決するための手段】
【０００６】
この発明に係るネットワークを利用したボウリングシステムは、
記憶装置を有する管理・Ｗｅｂサーバと、システムを構築し、メンテナンスするためのシステム保守端末と、外部情報を入力し、編集する情報編集端末とが設置された管理センター、
ゲームのスコアや投球フォーム、ピンの残存情報などの情報を撮影し、表示するカメラやモニターと、これらカメラやモニターの情報を処理するとともに前記管理・Ｗｅｂサーバに接続可能とされた情報端末とが設置された第一のボウリングセンター、
前記管理・Ｗｅｂサーバに接続可能とされた情報端末と、前記情報端末からの情報を表示するモニターとが設置された第二の複数のボウリングセンターからなり、前記管理センターと前記第一、第二のボウリングセンターとをネットワークを介して接続するボウリングシステムであって、
予め実際にプレーする著名人と日時およびボウリングセンター名とからなるスケジュール表を作成してＷｅｂサイト掲示版に掲載するとともに、前記第一のボウリングセンターが前記スケジュールに基づいて実際のプレー情報を配信し、
前記第二の複数のボウリングセンターにおいて、前記掲示版に基づいて参加申し込みを受付けるとともに、前記配信されたプレー情報を参加者がプレーするモニターに表示し、同時にボウリングゲームを行なわせるようにしたことを特徴とするものである。
【発明の効果】
【０００７】
この発明によれば、遠隔地に居住する著名なボウラーを相手としてインターネットを介
して複数の一般ボウラーを対戦させることができ、ボウリングゲームの面白さを複数の一般ボウラーに同時に実感させることができる。この結果、ボウリングゲームの人気向上に寄与させることができ、ボウリング場としても集客増、売上増を図ることができる。
【図面の簡単な説明】
【０００８】
【図１】この発明の実施の形態１に係るネットワークを利用したボウリングシステムを示す概要構成図である。
【図２】この発明の実施の形態１に係るネットワークを利用したボウリングシステムを説明するための概要図である。
【図３】この発明の実施の形態１に係るネットワークを利用したボウリングシステムを説明するための概要図である。
【発明を実施するための形態】
【０００９】
実施の形態１．
以下、本発明を実施の形態１である図１〜図３を参照して説明する。
図１は、この発明の実施の形態１に係るネットワークを利用したボウリングシステムを示す概要構成図である。
図１において、ボウリングシステムは、システムを管理する管理センター１と、この管理センター１にインターネット回線２等のネットワークを介して接続されるボウリングセンター３、３Ａおよび家庭などで一般ボウラーが使用するパソコン４とから構成され、ボウリングセンター３、３Ａおよび一般ボウラー管理のパソコン４は、システム利用を許容された設置場所に制約のない複数の機器を対象とすることができる。
【００１０】
また、管理センター１には、記憶装置を有する管理・Ｗｅｂサーバ１０と、システムを構築し、メンテナンスするためのシステム保守端末１１と、外部情報を入力し、編集する情報編集端末１２などが設置されている。なお、情報編集端末１２は、システム保守端末１１と兼用してもよい。
【００１１】
一方、ボウリングセンター３には、ゲームのスコアや投球フォーム、ピンの残存情報などの通常のゲーム情報を撮影し、表示するカメラ３０、オーバーヘッドモニター３１などの設備と、これらのゲーム情報を処理するとともにインターネット回線２を介して管理・Ｗｅｂサーバ１０に接続可能とする情報処理端末３２が設けられている。なお、管理センター１を特定のボウリングセンター３内に設置することも可能である。
【００１２】
このような設備構成のもとで、まず、特定のボウリングセンター３において、所属するプロボウラー（ＡＡプロ、ＢＢプロ、ＣＣプロ……）がチャレンジを受ける日時を決定するとともに、実際にプレーするボウリングセンター名（Ｘボウル、Ｙボウル、Ｚボウル……）と併せて図２に示すようなスケジュール表を作成し、インターネットのＷｅｂサイト掲示版に掲載して予告する。ここで、プロボウラーが実際にプレーするボウリングセンターを以下、主催センター３と称し、図２に示すように複数のボウリングセンター(Ｘボウル、Ｙボウル、Ｚボウル……）が交互に主催してもよく、一ヶ所のボウリングセンターのみを主催センター３としてもよい。
【００１３】
なお、インターネットのＷｅｂサイトは、図３（ａ）に示すような接続画面と、（ｂ）に示すようなログイン画面を通して予めシステムへの接続を許諾した登録者を選択する。また、Ｗｅｂサイト掲示版には、チャレンジを受けるプロボウラーの経歴、ハイスコア、アベレージスコア、顔写真などを掲載することも可能である。
【００１４】
次に、チャレンジを希望する一般のボウラーは、上記のＷｅｂサイト掲示版を見て近隣のボウリングセンター３、３Ａまたはパソコン４によって実際にプレーを希望するボウリ
ングセンター３、３Ａにゲームの参加申し込みを行なう。ここで、一般ボウラーがプレーを希望する近隣のボウリングセンターは、システムに加入済みのボウリングセンターであり、以下、参加センター３Ａと称する。
【００１５】
上記の予約に基づいて主催センター３は、指定の日時にプロボウラーにボウリングゲームを開始させ、このプレー状況（投球フォーム、投球後の表情あるいはピンの残存映像）をカメラ３０を用いて撮影し、音声およびスコアとともにインターネット回線２を介して管理・Ｗｅｂサーバ１０を経由し、一般ボウラーがプレーする参加センター３Ａにその情報を配信する。
【００１６】
一方、参加センター３Ａは、主催センター３からの情報配信を受けて、参加予約をした一般ボウラーがプレーするレーンのオーバーヘッドモニター３１にその情報を表示し、あたかもプロボウラーと一緒にゲームを競っている状況を作り出し、リアルタイムでボウリングゲームを行なわせる。なお、主催センター３から情報提供を受けるだけの参加センター３Ａでは、カメラ３０を装備する必要はない。
このように構成することによって、通常一緒にプレーすることができない遠隔地に居住する、あるいは人気の高いプロボウラーとタイミングを合わせてボウリングゲームを行なわせることができる。このとき、一般ボウラーが１フレームのプレーを終了する概ねの時間をタイマーにより設定し、このタイマーの表示に基づいてプロボウラーが投球するように構成すれば、リアルタイム感を一層引き出すことが可能となる。
【００１７】
また、ゲーム終了後は、プロボウラーのスコアと一般ボウラーのスコアとを併記したゲーム結果表を作成して記念に一般ボウラーに渡したり、スコアシートをファクシミリやメールで管理センター１に送付し、情報編集端末１２によって管理・Ｗｅｂサーバ１０に登録し、参加者全員における順位、成績をＷｅｂサイトに掲示するなどのサービスを実施することも可能で、このように参加者全員における順位付けを行なうことによってプロボウラーに対するチャレンジとともに参加者多数を対戦相手として意識付けすることができ、ボウリングゲームに対するモチベーションの維持を図る効果もある。
さらに、１か月間など所定の期間の成績に基づいて商品を与えるなど表彰制度により集客力向上を図ることも可能である。
【００１８】
このように一般のボウラーに対し、プロボウラーとリアルタイムでボウリングゲームを行なわせることができ、また、チャレンジする一般ボウラーは、不特定多数とすることが可能で、多くの人に対して同時にボウリングゲームの面白さを感じさせることができる。しかも、主催センター３は、プロボウラー一人に対する経費負担でよいため、複数の参加センター３Ａにこの経費を負担させるなどによりプロチャレンジゲームを安価に開催することができる利点もある。
【００１９】
なお、プロボウラーがプレーする主催センター３においても、他のレーンのオーバーヘッドモニター３１にプロボウラーのゲーム情報を表示することにより同様にチャレンジゲームを行なわせることが可能であることは言うまでもない。また、ゲーム情報を表示するモニターは、必ずしもオーバーヘッドモニター３１である必要はなく、ボウラーズエリア（待機場所）に設置されたコンソール上のディスクトップモニターやボウラーが視覚可能な大画面の表示装置などのモニターであってもよい。
【００２０】
さらに、ボウリングゲームは親しい者同士がグループで行なうものといった固定概念を打破し、一人でもプレーが可能で、かつ、プロボウラーと真剣勝負ができるといったインセンティブを与え、ボウリングセンター３、３Ａの利用頻度を向上させるとともにボウリングゲームを趣味とする新たなボウラーの発掘に貢献させることも可能となる。
【００２１】
さらにまた、このシステムを利用したネットプロチャレンジゲームを介して一般のボウラーがプロボウラーに親近感を持つことになり、プロボウラーの人気向上を図ることができるとともに、例えば、参加センター３Ａにプロボウラーを招致してプロチャレンジゲームを実開催した場合に、集客の増加が見込まれ、ボウリングセンターの収益向上に寄与させることができる。
なお、以上の実施形態１では、ボウリングファンにとって著名なプロボウラーを主催センター３でプレーさせ、これをインターネットを介して参加センター３Ａに配信するように構成したが、人気が高く、ボウリングゲームに実力を有するタレントあるいはスポーツ選手などを招聘し、これらの著名人によってチャレンジゲームを企画することにより、幅広い層の利用者を開拓することが可能となる。
【００２２】
以上のように、この発明によれば、遠隔地に居住する著名人を相手としてインターネットを介して複数の顧客と対戦させることができ、ボウリングゲームの面白さを複数の顧客に同時に実感させることができる。この結果、ボウリングゲームの人気向上に寄与させることができ、ボウリング場としても集客増、売上増を図ることができる。
【００２３】
なお、本発明は、その発明の範囲内において、各実施の形態を適宜、変形、省略することが可能である。
【符号の説明】
【００２４】
１：管理センター                  ２：インターネット回線
３、３Ａ：ボウリングセンター      ４：参加者ＰＣ
１０：管理・Ｗｅｂサーバ        １１：システム保守端末
１２：情報編集端末              ３０：カメラ
３１：オーバーヘッドモニター    ３２：情報端末
【図１】
2013252340.tif 000003
【図２】
2013252340.tif 000004
【図３】
2013252340.tif 000005